(57)【特許請求の範囲】
【請求項１】
給水される水を上方へ導くように起立される立上り管状部と、該立上り管状部の上端に接続されて上方へ水を導くと共にハンドルの手動操作で供給水量を調整する流量調整用の開閉機構と、該開閉機構の上端に接続されて水の散布や噴霧をする散水ノズル部とを備え、
前記開閉機構と前記散水ノズル部とが一体的になって構成される上部の回転可動部が、前記立上り管状部に対して、立上り方向の軸心を中心に任意の位置へ回転させて散水方向を変えることができるように、抜け止め構造によって接続されていると共にＯ−リングパッキンによって水密状態に接続されていることを特徴とする柱状散水装置。
【請求項２】
前記立上り管状部の下端部に、装置を起立させるためのスタンド部が設けられていることを特徴とする請求項１記載の柱状散水装置。
【請求項３】
地面に起立・固定された状態で設置される散水機能付き水栓柱であって、給水される水を上方へ導くように起立される立上り管状部と、該立上り管状部の上端に接続されて上方へ水を導くと共にハンドルの手動操作で供給水量を調整する流量調整用の開閉機構と、該開閉機構の上端に接続されて水の散布や噴霧をする散水ノズル部とを備えると共に、前記立上り管状部の上部であって前記開閉機構の下側に蛇口が接続される吐水部を備え、
前記開閉機構と前記散水ノズル部とが一体的になって構成される上部の回転可動部が、前記立上り管状部に対して、立上り方向の軸心を中心に任意の位置へ回転させて散水方向を変えることができるように、抜け止め構造によって接続されていると共にＯ−リングパッキンによって水密状態に接続されていることを特徴とする散水機能付き水栓柱。
【請求項４】
前記吐水部が、前記立上り管状部に対して、立上り方向の軸心を中心に任意の位置へ回転させて蛇口の向きを変えることができるように、抜け止め構造によって接続されていると共にＯ−リングパッキンによって水密状態に接続されていることを特徴とする請求項３記載の散水機能付き水栓柱。
【請求項５】
広角扇形ノズルが着脱交換可能に取付られていることで散水ノズル部が構成されていることを特徴とする請求項３又は４記載の散水機能付き水栓柱。
【発明の詳細な説明】
【技術分野】
【０００１】
本発明は、給水される水を上方へ導くように起立される立上り管状部を備える柱状散水装置及び散水機能付き水栓柱に関する。
【背景技術】
【０００２】
給水される水を上方へ導くように起立される立上り管状部を備える装置としては、例えば、ハンドル操作により通水状態又は水抜状態に切換える不凍水栓柱であって、通水状態又は水抜き状態への切換にカム部を含む運動変換機構を用いることで、ハンドルの操作角範囲を９０°前後まで狭くすることができ、操作時間の短縮とワンタッチによる容易な操作を実現できる装置（特許文献１参照）が、本出願人によって提案されている。
【０００３】
このような不凍水栓柱によれば、カランによって給水又は止水を行うことと、ハンドルによる水抜き操作によって凍結を防止することが目的であって、立上り管状部というような支柱を兼用する通水管の構成を用いて散水を行う発想はなかった。
【先行技術文献】
【特許文献】
【０００４】
【特許文献１】特許第３９９８６３５号公報（請求項１、［００１１］）
【発明の概要】
【発明が解決しようとする課題】
【０００５】
柱状散水装置及び散水機能付き水栓柱に関して解決しようとする課題は、水栓柱などの地面に設置される柱状体に合理的且つ効果的に散水をすることができる散水ノズル部を備えるものが提案されていないことにある。
【０００６】
そこで、本発明の目的は、水栓柱などの柱状体の上端に設けられる散水ノズル部による散水方向を容易に変えることができ、散水の作業性を向上できる柱状散水装置及び散水機能付き水栓柱を提供することにある。
【課題を解決するための手段】
【０００７】
本発明は上記目的を達成するために次の構成を備える。
本発明に係る柱状散水装置の一形態によれば、給水される水を上方へ導くように起立される立上り管状部と、該立上り管状部の上端に接続されて上方へ水を導くと共にハンドルの手動操作で供給水量を調整する流量調整用の開閉機構と、該開閉機構の上端に接続されて水の散布や噴霧をする散水ノズル部とを備え、前記開閉機構と前記散水ノズル部とが一体的になって構成される上部の回転可動部が、前記立上り管状部に対して、立上り方向の軸心を中心に任意の位置へ回転させて散水方向を変えることができるように、抜け止め構造によって接続されていると共にＯ−リングパッキンによって水密状態に接続されている。
【０００８】
また、本発明に係る柱状散水装置の一形態によれば、前記立上り管状部の下端部に、装置を起立させるためのスタンド部が設けられていることを特徴とすることができる。
【０００９】
また、本発明に係る散水機能付き水栓柱の一形態によれば、地面に起立・固定された状態で設置される散水機能付き水栓柱であって、給水される水を上方へ導くように起立される立上り管状部と、該立上り管状部の上端に接続されて上方へ水を導くと共にハンドルの手動操作で供給水量を調整する流量調整用の開閉機構と、該開閉機構の上端に接続されて水の散布や噴霧をする散水ノズル部とを備えると共に、前記立上り管状部の上部であって前記開閉機構の下側に蛇口が接続される吐水部を備え、前記開閉機構と前記散水ノズル部とが一体的になって構成される上部の回転可動部が、前記立上り管状部に対して、立上り方向の軸心を中心に任意の位置へ回転させて散水方向を変えることができるように、抜け止め構造によって接続されていると共にＯ−リングパッキンによって水密状態に接続されている。
【００１０】
また、本発明に係る散水機能付き水栓柱の一形態によれば、前記吐水部が、前記立上り管状部に対して、立上り方向の軸心を中心に任意の位置へ回転させて蛇口の向きを変えることができるように、抜け止め構造によって接続されていると共にＯ−リングパッキンによって水密状態に接続されていることを特徴とすることができる。
【００１１】
また、本発明に係る散水機能付き水栓柱の一形態によれば、広角扇形ノズルが着脱交換可能に取付られていることで散水ノズル部が構成されていることを特徴とすることができる。
【発明の効果】
【００１２】
本発明に係る柱状散水装置及び散水機能付き水栓柱によれば、水栓柱などの柱状体の上端に設けられる散水ノズル部による散水方向を容易に変えることができ、散水の作業性を向上できるという特別有利な効果を奏する。
【図面の簡単な説明】
【００１３】
【図１】本発明に係る柱状散水装置の形態例を模式的に示す側面図である。
【図２】本発明に係る散水機能付き水栓柱の形態例を模式的に示す側面図である。
【図３】本発明に係る散水機能付き水栓柱の形態例の内部構造を示す断面図である。
【図４】図３の形態例の要部を示す側面図である。
【図５】図３の形態例の要部を示す斜視図である。
【図６】本発明に係る柱状散水装置の形態例の要部を示す側面図である。
【発明を実施するための形態】
【００１４】
以下、本発明に係る柱状散水装置及び散水機能付き水栓柱の形態例を添付図面（図１〜６）と共に詳細に説明する。先ず、図１、２に基づいて、本発明に係る柱状散水装置及び散水機能付き水栓柱の基本的な構成について説明する。
これらの形態例においては、共通する基本構成として、給水される水を上方へ導くように起立される立上り管状部１０（図３参照）と、その立上り管状部１０の上端に接続されて上方へ水を導くと共に供給水量を調整する流量調整用の開閉機構２１と、その開閉機構２１の上端に接続されて水の散布や噴霧をする散水ノズル部３０とを備える。
【００１５】
先ず、図１に示す形態例では、開閉機構２１と散水ノズル部３０とが一体的になって構成される上部の回転可動部２０が、立上り管状部１０に対して、立上り方向の軸心を中心に回動を含む回転が自在であると共に水密状態に接続されている。
【００１６】
これによれば、散水ノズル部３０による散水方向を容易に変えることができ、散水の作業性を向上できる。すなわち、本形態例のような散水用のノズル（広角扇形ノズル３１）では、噴出方向が一方向であるため、任意の位置へ回転することで散水範囲を拡大でき、散水の作業性を向上できる。特に、開閉機構２１と散水ノズル部３０とが一体的になっているため、開閉機構２１のハンドル２５に手をかけた状態で回転すれば、操作性がよく、散水方向を容易に変えることができる。また、散水量は、流量調整用の開閉機構２１のハンドル２５を操作することで容易に行うことができる。
【００１７】
なお、図１に示す形態例は、水栓機能をなくし、散水機能に特化したものである。ここで、散水機能とは、スプリンクラーに見られるような植物等に水を散水する機能や、酷暑にて水を霧状に噴霧することによって周辺を冷却することができる機能のことである。また、散水や噴霧等の水の散水状態は、水の噴出し口となるノズルを交換することにより、適宜選択的を変えることができる。
【００１８】
さらに、図１に示す形態例では、立上り管状部１０の下端部に、装置を起立させるためのスタンド部６０が設けられている。これによれば、柱状散水装置を、簡単に移動して立設した状態で使用できる。すなわち、移動が容易であり、広範囲の散水について、使い勝手がよいという利点がある。なお、スタンド部６０の形態は、図１に示したようなもの限定されるものではなく、例えば三脚状のものなど、公知の形態を適宜選択的に用いることができるのは勿論である。なお、６１は接続ホースであり、立上り管状部１０に給水を行うように接続されている。
【００１９】
そして、図２に示す形態例は、図１の形態例の構成と比較して、立上り管状部１０の上部であって開閉機構２１の下側に蛇口５５が接続される吐水部５１を備え、地面に起立・固定された状態で設置される散水機能付き水栓柱である点で相違している。本形態例のような散水ノズルでは、噴出方向が一方向であるため、任意の位置へ回転することで散水範囲を拡大でき、散水の作業性を向上できる。
【００２０】
この形態例は、水栓柱に散水機能を付加したものであり、水栓柱を散水機として、好適に利用できる。すなわち、図２に示す形態例は、水栓柱の頭部（キャップ部）から、水を放出できる構造を有し、植物などへの散水や、霧状による噴霧で夏場の冷却効果を得ることができるものである。また、散水や噴霧等の水の散水状態は、図１の形態例と同様に、交換式の水ノズルとすることにより、適宜選択的を変えることができる。また、これらの形態例は、特に一般家庭や幼稚園等の小規模な場所で有効に利用できるものである。
【００２１】
次に、図２に示す形態例の構成に加えて、吐水部５１が、立上り管状部１０に対して、立上り方向の軸心（管の鉛直軸心）を中心に回動を含む回転が自在であると共に水密状態に接続されている形態例の内部構造について、図３に基づいて詳細に説明する。
【００２２】
本形態例に係る立上り管状部１０は、水道などの水源が接続される給水接続口１２ａを有する給水エルボ１２が下端部に配され、その給水エルボ１２の上方の開口に接続された立上り管１１と、この立上り管１１の上端に延長された立上り管延長胴部１５とによって設けられている。
【００２３】
また、立上り管１１は、下側外筒１３に内蔵され、その下側外筒１３の上側に中継手１４の下側部が嵌った状態に接続されることで保護されている。立上り管延長胴部１５のリング状の溝に、サポートリング１６が嵌ると共に中継手１４の内径筒部の上面に当接することで、そのサポートリング１６によって中継手１４を押えることができる。なお、中継手１４の内径筒部には、立上り管１１と立上り管延長胴部１５が接続されている部分が挿通されている。これによって、立上り管状部１０が下側外筒１３の中心に案内されて位置されている。
【００２４】
本形態例に係る上部の回転可動部２０は、開閉機構２１と散水ノズル部３０とが、立上り方向に延びている通水路の軸心を揃えて上下方向に接続されることで、開閉機構２１の上側に散水ノズル部３０が一体化されて設けられている。
【００２５】
開閉機構２１は、上下方向に連通する通水路を備える開閉機構本体２２と、その通水路を開閉するための弁体２３ａを一端に備えるスピンドル２３とを備えるもので、蛇口における開閉機構と同等の構成によって設けられている。スピンドル２３の動作は、ボンネット２４によって案内される共に、そのボンネット２４で押えられているパッキン２４ａによって水密に保たれている。また、スピンドル２３の他端には、ハンドル２５がビス２３ａによって固定されており、そのハンドルを操作することで、手動による流量調整ができるようになっている。
【００２６】
開閉機構本体２２は、上側外筒２６に内蔵されるように覆われている。その上側外筒２６にドリリングネジ２６ｂによって固定されたハンドル取付部のカバー２６ａの開口には、スピンドル２３が挿通されて、そのスピンドル２３の他端に固定されたハンドル２５によって操作ができるように構成されている。
【００２７】
次に、上部の回転可動部２０が、立上り管状部１０に対して、立上り方向の軸心（管の鉛直軸心）を中心に回転が自在であると共に水密状態に接続されている形態を説明する。本形態例では、開閉機構本体２２の下側の接続部に軸心を揃えて水密状態の固定された接続継手２７が、Ｏ−リングパッキン２８によって水密状態に、立上り管状部１０の上端部を構成する立上り管延長胴部１５の上端部に外嵌め状態で接続されている。なお、開閉機構本体２２と接続継手２７とは、Ｏ−リングパッキン１９によって水密がなされて一体化されている。
【００２８】
そして、接続継手２７の下端部にはリング押え２９が螺合して固定され、この接続継手２７とリング押え２９との間に、立上り管延長胴部１５の上部のリング状の溝に嵌められた係合リング１５ａが挟まれることで、抜け止め構造が構成されている。すなわち、開閉機構本体２２、接続継手２７及びリング押え２９が一体化することで、上部の回転可動部２０が立上り管状部１０から抜けて離脱することがないように、その立上り管状部１０に対して回転が自在に接続されている。
【００２９】
また、本形態例では、広角扇形ノズル３１が開閉機構本体２２の上側に着脱交換可能に取り付けられていることで散水ノズル部３０が構成されている。この散水ノズル部３０は、ノズル継手３２が、開閉機構本体２２の通水路の上端部にＯ−リングパッキン３３を介して水密状態に接続され、グランド３４がノズル継手３２を上から押え込んで開閉機構本体２２の上端部に螺合されることで固定されている。そして、さらにそのノズル継手３２の上端部に、広角扇形ノズル３１が螺合されることで固定されている。
【００３０】
また、上側外筒２６の上端には外筒キャップ３５が嵌められ、その外筒キャップ３５にキャップ３６が嵌められることで、ノズル継手３２や広角扇形ノズル３１を内包して保護するように設けられている。
なお、散水や噴霧等については、水の噴出し口のノズルを交換することにより、水の散水状況を変えることができる。すなわち、ノズルの形態は、広角扇形ノズル３１に限定されることなく、散水条件に合わせて選択的に交換すればよい。
【００３１】
次に、吐水部５１が、立上り管状部１０に対して、立上り方向の軸心（管の鉛直軸心）を中心に、回動を含む回転が自在であると共に水密状態に接続されて構成されている中間部の回転可動部５０の形態例を、図３に基づいて説明する。
【００３２】
本形態例の中間部の回転可動部５０は、立上り管延長胴部１５が挿通された回転胴５２と、その回転胴５２に設けられて蛇口５５（図２参照）が接続される吐水用接続口５１ａと、立上り管延長胴部１５に回転胴５２が回転できると共に水密できるように上下に配された一対のＯ−リングパッキン５３、５３と、吐水用接続口５１ａを保護する吐水部カバー５４ａと、その吐水部カバー５４ａがドリリングネジ５４ｂよって固定される中間外筒５４とによって、一体的回転できるように構成されている。立上り管延長胴部１５では、その中途部に通水口が開口しており、その通水口を上下に位置する一対のＯ−リングパッキン５３、５３がシールすると共に回転胴５２の通水部が内包するように位置することで、水が吐水用接続口５１ａに接続される蛇口５５へ通水できるように形成されている。
【００３３】
なお、本形態例では、立上り管延長胴部１５が、中間外筒５４に内蔵・保護されるように、その中間外筒５４が下側の中継手１４の上側部に嵌った状態に接続されると共に上側の中継手１７の下側部に嵌った状態に接続されている。そして、接続継手２７のリング状の溝に、サポートリング１８が嵌ると共に中継手１７の内径筒部の上面に当接することで、そのサポートリング１８によって中継手１７を押えることができる。また、中継手１７の内径筒部には、立上り管延長胴部１５の上端部に、接続継手２７及びリング押え２９が重なって回転自在且つ水密状態に嵌っている部分が挿通されている。これによって、立上り管状部１０の立上り管延長胴部１５及び中間部の回転可動部５０と、その上部に回転自在に接続される構成（上部の回転可動部２０）が、中間外筒５４及び上側外筒２６の中心に案内されて位置されている。
【００３４】
本形態例の中間部の回転可動部５０によれば、蛇口５５が管の鉛直軸心を中心に回転できるため、所望の向きで蛇口５５を操作することができ、使い勝手が良くなる。
なお、本発明に係る吐水部５１は、この形態例に限定されるものではなく、回転しない形態であってもよく、使用条件によって選択すればよい。
【００３５】
以上の形態例では、立上り管状部１０、吐水部５１、開閉機構２１、散水ノズル部３０という各構成を、管の軸方向（立上り方向）に直列的（直線的）に接続することで形成できる構造となっており、構成しやすく、低コストで生産できる。
【００３６】
以上、本発明につき好適な形態例を挙げて種々説明してきたが、本発明は以上の形態例に限定されるものではなく、発明の精神を逸脱しない範囲内で多くの改変を施し得るのは勿論のことである。
【符号の説明】
【００３７】
１０  立上り管状部
１１  立上り管
１２  給水エルボ
１２ａ  給水接続口
１３  下側外筒
１４  中継手
１５  立上り管延長胴部
１５ａ  係合リング
１６  サポートリング
１７  中継手
１８  サポートリング
１９  Ｏ−リングパッキン
２０  上部の回転可動部
２１  開閉機構
２２  開閉機構本体
２３  スピンドル
２３ａ  弁体
２３ｂ  ビス
２４  ボンネット
２４ａ  パッキン
２５  ハンドル
２６  上側外筒
２６ａ  ハンドル取付部のカバー
２６ｂ  ドリリングネジ
２７  接続継手
２８  Ｏ−リングパッキン
２９  リング押え
３０  散水ノズル部
３１  広角扇形ノズル
３２  ノズル継手
３３  Ｏ−リングパッキン
３４  グランド
３５  外筒キャップ
３６  キャップ
５０  中間部の回転可動部
５１  吐水部
５１ａ  吐水用接続口
５２  回転胴
５３  Ｏ−リングパッキン
５４  中間外筒
５４ａ  吐水部カバー
５４ｂ  ドリリングネジ
５５  蛇口
６０  スタンド部
６１  接続ホース
【図１】
0006602589.tif 000002
【図２】
0006602589.tif 000003
【図３】
0006602589.tif 000004
【図４】
0006602589.tif 000005
【図５】
0006602589.tif 000006
【図６】
0006602589.tif 000007